(57)【特許請求の範囲】
【請求項１】
二重床の基礎床と上床との間に介在して、前記上床を前記基礎床に対して高さ調節可能に支持する床支持脚であって、
前記基礎床に設置されるベース板と、このベース板の中央部より突設された支持ボルトとからなる支持板と、
前記支持ボルトに螺合して回転することにより前記ベース板に対して上下し、前記上床を受けるパネル受けと、
前記支持ボルトの前記パネル受けの下方に螺合し、回転操作が可能な固定具と、
前記パネル受けと前記固定具のいずれか一方を回転することで他方を共に回転可能とすべく、両者間に渡るように配設される共回り腕とを備え、
前記共回り腕は、共回り状態を解除して前記固定具のみを前記パネル受けに向けて螺進させ、該パネル受けに締結することによりパネル受けの回転を固定すべく、除去又は変形可能に形成されてなることを特徴とする床支持脚。
【請求項２】
共回り腕は、固定具だけを回転操作して、前記パネル受けを所望の高さで回転固定させようとする場合には、撓んだ状態となって変形し、その後復元するような可撓性を有したものであることを特徴とする請求項１記載の床支持脚。
【請求項３】
共回り腕は、固定具だけを回転操作して、前記パネル受けを所望の高さで回転固定させようとする場合には、折損して除去されることを特徴とする請求項１記載の床支持脚。
【請求項４】
共回り腕は、パネル受けに一体的に設けられたものであることを特徴とする請求項１から３のいずれか記載の床支持脚。
【請求項５】
共回り腕は、パネル受けと上床との間に介在し、前記パネル受けに共回りするように被せられるパネル受けカバーに一体的に設けられたものであることを特徴とする請求項１から３のいずれか記載の床支持脚。
【請求項６】
共回り腕は、パネル受けから水平方向に張り出した水平腕と、この水平腕に設けられたピン孔に上下可能に挿嵌される共回りピンとを備え、
前記共回りピンは、自由状態ではそのピン先部で、固定具を共回りさせ、この共回りピンを前記水平腕に対して上方に持ち上げた際には、固定具を自由回転させるものであることを特徴とする請求項１記載の床支持脚。
【請求項７】
固定具の幅中央に、共回り腕または共回りピンが入り込む共回り孔を設けたことを特徴とする請求項１から６のいずれか記載の床支持脚。
【請求項８】
固定具は、支持ボルトに螺合するナット部分として、市販のナットを用いたものであること特徴とする請求項１から７のいずれか記載の床支持脚。
【請求項９】
パネル受けは、パネル受けの下面から固定具側へ突出し、支持ボルトに螺号する雌ネジ部を内部に設けた筒状突起を備えた金属製の補助板を備え、
固定具は、支持ボルトに螺合するナット部分として市販のナットが内装され、該ナットの上面側を覗かせる露出窓を備え、固定時にはパネル受けの筒状突起と前記ナットとが相互に接触して固定されることを特徴とする請求項１から８のいずれか記載の床支持脚。
【請求項１０】
パネル受けは、支持ボルトを貫通させる逃がし内周部に、パネル受けの基準高さを表示する基準位置表示段部を備えていることを特徴とする請求項１から９のいずれか記載の床支持脚。
【発明の詳細な説明】
【技術分野】
【０００１】
本発明は、二重床の基礎床と上床との間に介在して、前記上床を前記基礎床に対して高さ調節可能に支持する床支持脚に関する。
【背景技術】
【０００２】
図１４は、本発明の背景技術となる床支持脚の一例を示す斜視図であり、この床支持脚は、特許文献１に記載されたものである。
【０００３】
この床支持脚３０は、基礎床に設置されるベース板２１と、このベース板２１の中央部より突設された支持ボルト２２とからなる支持板２３と、支持ボルト２２に螺合して回転することによりベース板２１に対して上下し、前記二重床の上床を受けるパネル受け２４と、支持ボルト２２のパネル受け２４の下方に螺合し、回転操作が可能な固定具２５とを備えている。
【０００４】
このような構成で、この床支持脚３０によれば、固定具２５をパネル受け２４が螺合している部分より下方の位置で支持ボルト２２に螺合させた状態で、パネル受け２４の高さを希望の高さに調節した後、パネル受け２４の上方から固定具２５を回転させて上昇させ、パネル受け２４に接触した状態から更に固定具２５だけを回転締めつけると、パネル受け２４の回転が固定されて、その高さが維持される。
【０００５】
この際、固定具２５は張り出した形状なっているので、スパナ等の工具を用いることなくパネル受け２４の上方から簡単に操作することができ、手作業で簡易にパネル受けを任意の高さで固定することができる（特許文献１の段落００１５）。
【０００６】
しかしながら、本出願人によれば、この床支持脚３０では、パネル受け２４を締付固定するまでに、固定具２５を何回も回転させなければならないことがあり、その点の改善が必要だと思われた。
【特許文献１】特開平７−０４８９２０号公報（図１）
【発明の開示】
【発明が解決しようとする課題】
【０００７】
本発明は、上記問題を解決しようとするものであり、固定具を最小限回転させるだけでパネル受けに接触させ、回転固定することができる床支持脚を提供することを目的とする。
【課題を解決するための手段】
【０００８】
請求項１記載の床支持脚は、二重床の基礎床と上床との間に介在して、前記上床を前記基礎床に対して高さ調節可能に支持する床支持脚であって、
前記基礎床に設置されるベース板と、このベース板の中央部より突設された支持ボルトとからなる支持板と、前記支持ボルトに螺合して回転することにより前記ベース板に対して上下し、前記上床を受けるパネル受けと、前記支持ボルトの前記パネル受けの下方に螺合し、回転操作が可能な固定具と、前記パネル受けと前記固定具のいずれか一方を回転することで他方を共に回転可能とすべく、両者間に渡るように配設される共回り腕とを備え、
前記共回り腕は、共回り状態を解除して前記固定具のみを前記パネル受けに向けて螺進させ、該パネル受けに締結することによりパネル受けの回転を固定すべく、除去又は変形可能に形成されてなることを特徴とする。
【０００９】
請求項２記載の床支持脚は、請求項１に従属し、共回り腕は、固定具だけを回転操作して、前記パネル受けを所望の高さで回転固定させようとする場合には、撓んだ状態となって変形し、その後復元するような可撓性を有したものであることを特徴とする。
【００１０】
請求項３記載の床支持脚は、請求項１に従属し、共回り腕は、固定具だけを回転操作して、前記パネル受けを所望の高さで回転固定させようとする場合には、折損して除去されることを特徴とする。
【００１１】
請求項４記載の床支持脚は、請求項１から３のいずれかに従属し、共回り腕は、パネル受けに一体的に設けられたものであることを特徴とする。
【００１２】
請求項５記載の床支持脚は、請求項１から３のいずれかに従属し、共回り腕は、パネル受けと上床との間に介在し、前記パネル受けに共回りするように被せられるパネル受けカバーに一体的に設けられたものであることを特徴とする。
【００１３】
請求項６記載の床支持脚は、請求項１に従属し、共回り腕は、パネル受けから水平方向に張り出した水平腕と、この水平腕に設けられたピン孔に上下可能に挿嵌される共回りピンとを備え、前記共回りピンは、自由状態ではそのピン先部で、固定具を共回りさせ、この共回りピンを前記水平腕に対して上方に持ち上げた際には、固定具を自由回転させるものであることを特徴とする。
【００１４】
請求項７記載の床支持脚は、請求項１から６のいずれかに従属し、固定具の幅中央に、共回り腕または共回りピンが入り込む共回り孔を設けたことを特徴とする。
【００１５】
請求項８記載の床支持脚は、請求項１から７のいずれかに従属し、固定具は、支持ボルトに螺合するナット部分として、市販のナットを用いたものであること特徴とする。
【００１６】
請求項９記載の床支持脚は、請求項１から８のいずれかに従属し、パネル受けは、パネル受けの下面から固定具側へ突出し、支持ボルトに螺号する雌ネジ部を内部に設けた筒状突起を備えた金属製の補助板を備え、固定具は、支持ボルトに螺合するナット部分として市販のナットが内装され、該ナットの上面側を覗かせる露出窓を備え、固定時にはパネル受けの筒状突起と前記ナットとが相互に接触して固定されることを特徴とする。
【００１７】
請求項１０記載の床支持脚は、請求項１から９のいずれかに従属し、パネル受けは、支持ボルトを貫通させる逃がし内周部に、パネル受けの基準高さを表示する基準位置表示段部を備えていることを特徴とする。
【発明の効果】
【００１８】
請求項１記載の床支持脚によれば、パネル受けと固定具のいずれか一方を回転することで他方を共に回転可能とすべく、両者間に渡るように配設される共回り腕を備え、この共回り腕は、共回り状態を解除して前記固定具のみを前記パネル受けに向けて螺進させ、該パネル受けに締結することによりパネル受けの回転を固定すべく、除去又は変形可能に形成されてなるので、共回り腕でパネル受けと固定具とを最小限の隙間で共回りさせた後に、この共回り腕に遮られることなく、固定具だけを回転させて、パネル受けの回転固定をさせることができ、固定具を最小限回転させるだけでパネル受けに接触させ、回転固定することができる。
【００１９】
請求項２記載の床支持脚によれば、請求項１の効果に加え、共回り腕は、固定具だけを回転操作して、前記パネル受けを所望の高さで回転固定させようとする場合には、撓んだ状態となって変形し、その後復元するような可撓性を有したものであるので、共回り腕の再使用ができ経済的である。
【００２０】
請求項３記載の床支持脚によれば、請求項１の効果に加え、共回り腕は、固定具だけを回転操作して、前記パネル受けを所望の高さで回転固定させようとする場合には、折損して除去されるので、共回り腕の素材を、可撓性を考慮することなく選択でき、材料選択の範囲が広くなる。
【００２１】
請求項４記載の床支持脚によれば、請求項１から３のいずれかの効果に加え、共回り腕は、パネル受けに一体的に設けられたものであるので、以下で必要なパネル受けカバーが不要となり、その分コストダウンを図ることができる。
【００２２】
請求項５記載の床支持脚によれば、請求項１から３のいずれかの効果に加え、共回り腕は、パネル受けと上床との間に介在し、前記パネル受けに共回りするように被せられるパネル受けカバーに一体的に設けられたものであるので、従来のパネル受けに単に被せるだけで、請求項１から３の効果を発揮させることができるようになる。
【００２３】
請求項６記載の床支持脚によれば、請求項１の効果に加え、共回り腕は、パネル受けから水平方向に張り出した水平腕と、この水平腕に設けられたピン孔に上下可能に挿嵌される共回りピンとを備え、前記共回りピンは、自由状態ではそのピン先部で、固定具を共回りさせ、この共回りピンを前記水平腕に対して上方に持ち上げた際には、固定具を自由回転させるものであるので、請求項１の効果を確実に発揮させることができる。
【００２４】
請求項７記載の床支持脚によれば、請求項１から６のいずれかの効果に加え、固定具の幅中央に、共回り腕または共回りピンが入り込む共回り孔を設けたので、固定具が元回り孔の範囲で共回り腕と共回りするので、パネル受けの高さ調節の支障とならず、かつ、パネル受けの方向に対して、固定具の方向の見当をつけることができ、固定具の操作が為やすくなる。
【００２５】
請求項８記載の床支持脚によれば、請求項１から７のいずれかの効果に加え、固定具は、支持ボルトに螺合するナット部分として、市販のナットを用いたので、固定具を安価に製造することができる。
【００２６】
請求項９記載の床支持脚によれば、請求項１から８のいずれかの効果に加え、パネル受けは、パネル受けの下面から固定具側へ突出し、支持ボルトに螺号する雌ネジ部を内部に設けた筒状突起を備えた金属製の補助板を備え、固定具は、支持ボルトに螺合するナット部分として市販のナットが内装され、該ナットの上面側を覗かせる露出窓を備え、固定時にはパネル受けの筒状突起と前記ナットとが相互に接触して固定されるので、パネル受けはダブルナット状態で強固に固定される。
【００２７】
請求項１０記載の床支持脚によれば、請求項１から９のいずれかの効果に加え、パネル受けは、支持ボルトを貫通させる逃がし内周部に、パネル受けの基準高さを表示する基準位置表示段部を備えているので、販売のための組み立ての目安となり、組み立て作業の間違いが少なくなる。
【発明を実施するための最良の形態】
【００２８】
以下に、本発明の実施の形態（実施例）について、図面を用いて説明する。
【実施例１】
【００２９】
これより、本発明の床支持脚の一例について、図１で、その構成部品の支持板を、図２でパネル受けを、図３で固定具を、図４でパネル受けカバーを、図５でその全体を、図６でその使用方法を順に説明する。
【００３０】
図１は、本発明の床支持脚を構成する支持板の一例を示すもので、（ａ）はその正面図、（ｂ）はその側面図である。
【００３１】
この支持板３は、二重床の基礎床に設置されるベース板１と、このベース板１の中央部より突設された支持ボルト２とを備えている。
【００３２】
ベース板１は、平板状のもので、その平板周縁近傍に、基礎床上に設置された際に、このベース板１を基礎床へ設置固定するための固定用孔１ａが設けられている。ベース板１の素材は、鋼鉄が好適であるが、支持ボルト２と一体化して、支持ボルト２に作用する種々の外力に耐えるものであれば、その素材は限定されない。
【００３３】
支持ボルト２は、その名称から察せられる通り、その外周に雄ねじが形成された棒状のものであり、ベース板１の平面方向の中心に立てられ、ベース板１と強固に一体化されている。支持ボルト２の素材は、鋼鉄が好適である。
【００３４】
図２は、本発明の床支持脚を構成するパネル受けの一例を示すもので、（ａ）はその上面図、（ｂ）はその側面図、（ｃ）はその下面図、（ｄ）は（ａ）のＡＡ断面図である。
【００３５】
このパネル受け４は、上述した支持板１の支持ボルト２に螺合して回転することによりベース板１に対して上下し、二重床の上床を受けるものであり、全体として、矩形平板状の下板４ａから、この下板４ａの中央を交差点とした十字形で４隅に平板部分を残すような内部中空の十字突起部４ｂが突出した形状をしている。
【００３６】
十字突起部４ｂの上方中心から下方に、下板４ａを通り越して中心筒部４ｅが設けられ、この中心筒部４ｅの内径側に、その下端から軸長さの半分程度のあたりまで、支持板１の支持ボルト２に螺合する雌ネジ部４ｃが、この雌ネジ部４ｃに続いて上方に雌ネジ部４ｃの谷底径より大きい内径の逃がし内周部４ｄが設けられている。
【００３７】
この逃がし内周部４ｄは、工具の逃がしとして機能して雌ネジ部４ｃのネジ加工を末端まで可能とすると同時に、雌ネジ部４ｃに螺合する支持ボルト２の先端部が雌ネジ部４ｃを超えて突出することを許容するものである。
【００３８】
なお、逃がし内周部４ｄには、パネル受け４の基準高さを表示する基準位置表示段部４ｋが設けられてるが、この基準位置表示段部４ｋについては、図１１〜１３の実施例６で説明する。
【００３９】
下板４ａの平板部分の４隅には、上床を構成する上床パネルを固定するための固定雌ネジ孔４ｆが設けられ、その裏面側には、この固定雌ネジ孔４ｆが下板４ａの厚さを越えて形成されるようにボス４ｇが設けられている。
【００４０】
下板４ａから下方へ突き出した中心筒部４ｅと、固定雌ネジ孔４ｆのためのボス４ｇとを連結するように補強リブ４ｈが設けられている。この補強リブ４ｈは、下板４ａの平面状態を維持し、下板４ａと中心筒部４ｅとの連結状態を強固に保持するものである。
【００４１】
十字突起部４ｂの十字形上辺の各端部部分には、取り付け孔４ｉが形成されている。この取り付け孔４ｉは必要に応じ用いられるものである。
【００４２】
パネル受け４は、アルミダイキャストで製造したものでもよく、合成樹脂を素材として成形したものでもよい。
【００４３】
図３は、本発明の床支持脚を構成する固定具の一例を示すもので、（ａ）はその上面図、（ｂ）は（ａ）のＢＢ断面図、（ｃ）はその下面図である。
【００４４】
この固定具５は、支持板３の支持ボルト２の上記パネル受け４の下方、つまり、パネル受け４と支持板３のベース板１との間に螺合し、回転操作が可能なものである。
【００４５】
固定具５は、全体として長方形板状の平面部５ａの外縁四辺から平面部５ａに直交する方向にリブ５ｂが伸び出した形状をしている。
【００４６】
この平面部５ａの中央部分のリブ５ｂ伸び出し側に、市販のナット５ｇ（図５参照）を着脱可能に収容するナット収容部５ｃが設けられている。この市販のナット５ｇは、支持板３の支持ボルト２に螺合するものである。
【００４７】
ナット収容部５ｃの深さは、ここに収容するナットの厚さに対応させて、収容状態でナットが突出しない程度であればよく、リブ５ｂの伸び出し長さは、このナット収容部５ｃの伸び出し長さに合わせる程度か、より短いもので良い。
【００４８】
ナット収容部５ｃの平面部５ａ側には、収容したナット５ｇに螺合する支持板３の支持ボルト２の通過を許容するボルト孔５ｄが設けられている。
【００４９】
平面部５ａの長辺の短辺近傍には、固定具５を支持ボルト２への螺合状態で回転操作するための操作用凹部５ｅが設けられている。
【００５０】
平面部５ａの短辺方向（幅方向）の中央部分には、ナット収容部５ｃを中心として対向するように一対の共回り孔５ｆが設けられている。共回り孔５ｆは、平面部５ａの長辺方向に長孔とされ、共回り腕の支持ボルト２からの距離が異なる場合にも対応できるものである。
【００５１】
この共回り孔５ｆは、後述するように、共回り腕７（図５参照）または共回りピン７ｃ（図９参照）、７ｅ（図１０参照）が入り込むためのものである。
【００５２】
平面部５ａの長辺側の長さは、後述するように、この固定具５の上方にパネル受け４がある状態で、別の工具を使うことなく人手で、固定具５の回転操作を可能とする操作用凹部５ｅを設けるという観点から決められる。
【００５３】
固定具５は、合成樹脂（例えば、高密度ポリエチレン（ＨＤＰＥ））で一体成形をしたものが好適であるがこれに限定されない。固定具５は、特許文献１の背景技術のように鋼板から板金加工で製造されたものであってもよい。
【００５４】
図４は、本発明の床支持脚を構成するパネル受けカバーの一例を示すもので、（ａ）はその正面図、（ｂ）はその下面図、（ｃ）は（ｂ）のＣＣ断面図、（ｄ）は（ｂ）のＤＤ断面図である。
【００５５】
このパネル受けカバー６は、パネル受け４と上床（実際には、この上床を構成する上床パネル）との間に介在し、パネル受け４に共回りするように被せられるもので、上記形状のパネル受け４の下板４ａと十字突起部４ｂとの外側をその形状に沿って、すっぽり覆う形状の本体部６ａと、この本体部６ａの下板４ａの四辺に対応する部分に設けられた張り出し部６ｂとを備えている。
【００５６】
本体部６ａの十字部分の内側は、十字内側部６ｃとなり、ちょうどパネル受け４の十字突起部４ｂが填まり込む形状とされ、これにより、パネル受けカバー６はパネル受け４と共回りする。
【００５７】
本体部６ａの平面部分の４隅には、下板４ａの四隅に設けられた固定雌ネジ孔４ｆに対応した貫通孔６ｄが設けられている。この貫通孔６ｄは、上述した上床パネルを固定するための固定ネジの挿通ができるようにするためのものである。
【００５８】
４箇所の張り出し部６ｂの下面には、下方に伸び出した共回り腕７が設けられている。この共回り腕７は、パネル受け４と固定具５のいずれか一方を回転することで他方を共に回転可能とすべく、両者間に渡るように配設されているものであるが、その機能等については、図５、６を用いて説明する。
【００５９】
このパネル受けカバー６は、合成樹脂（例えば、高密度ポリエチレン（ＨＤＰＥ））で一体成形をしたものが好適であるがこれに限定されない。
【００６０】
図５は、図１から図４の部品で構成される床支持脚を示すもので、（ａ）はその上面図、（ｂ）はその側面図である。これより既に説明した部分には同じ符号を付して重複説明を省略する。
【００６１】
この床支持脚１０は、図１の支持板３、この支持板３の支持ボルト２に螺合しているパネル受け４（図２）、このパネル受け４の下方で支持ボルト２に螺合している固定具５（図３）、パネル受け４に共回りするように被されたパネル受けカバー６（図４）、及び、パネル受けカバー６の四辺の張り出し部６ｂから下方に伸び出した共回り腕７（図４）を備えている。
【００６２】
固定具５は、支持ボルト２に螺合するナット部分として、市販のナット５ｇを用いたものであるので、別途、ナット部分を切削加工等する必要がなく、固定具５全体を安価なものとすることができる。
【００６３】
パネル受け４と固定具５とは、共に、支持板３の支持ボルト２に螺合した状態で、パネル受け４が上側、固定具５が下側（支持板３のベース板１に近い側）となり、両者間の隙間Ｈは、支持ボルト２の雄ネジのネジ山一ピッチ以下の最小限近接した状態となっている。
【００６４】
ここで、パネル受けカバー６から下方に伸び出した共回り腕７が、固定具５の共回り孔５ｆの中に入り込んだ状態で、パネル受けカバー６を回転させると、それに伴いパネル受け４、固定具５も共回りし、固定具５はパネル受け４との間の隙間を保ったままで、支持板３の支持ボルト２に螺合した状態で、上下する。
【００６５】
この際、共回り腕７が固定具５の共回り孔５ｆに入り込んだ状態であるので、固定具５の向きが、共回り腕７のある方向、つまり、パネル受け４の十字のいずれかの方向になっていることが推定でき、固定具５の向きの見当がつけやすい。
【００６６】
以下のこのような床支持脚１０の使用方法について、図６を用いて説明する。
【００６７】
図６（ａ）〜（ｄ）は、図５の床支持脚の使い方を順に示す図であり、これらの図は、支持板３が二重床Ｗの基礎床Ｚの上に設置され、図５の状態の床支持脚１０を、固定具５と共回り腕７との関係がよく解るように側面から見た所を示している。
【００６８】
図６（ａ）は、図５の状態から、パネル受けカバー６を反時計回りに回転させた状態を示してる。この際、固定具５の共回り孔５ｆの反時計回り側に共回り腕７が接触し、この状態で、パネル受けカバー６、パネル受け４、固定具５は、支持板３の支持ボルト２に螺合したまま、反時計回り（左回り）に共回りして、基礎床Ｚに対して上昇する。
【００６９】
反対に、パネル受けカバー６を時計回りに回転させると、固定具５の共回り孔５ｆの時計回り側に共回り腕７が接触し、パネル受けカバー６、パネル受け４、固定具５は、支持板３の支持ボルト２に螺合したまま、時計回り（右回り）に共回りして、基礎床Ｚに対して下降する。
【００７０】
こうして高さの調節が終了したら、今度は、パネル受けカバー６（つまり、パネル受け４）を回転しないように固定して、固定具５だけを、その操作用凹部５ｅを用いて、反時計回りに回転させると、共回り腕７は適度な可撓性を有しているので、図６（ｂ）に示すように、固定具５だけが回転するのを阻止しないように、撓んだ状態となる。
【００７１】
こうして、更に、固定具５だけを反時計回りに回転させると、図６（ｃ）に示すように固定具５はパネル受け４に接触し、このパネル受け４の回転を固定する状態となる。また、共回り腕７は、固定具５という障害がなくなり、元の撓まない状態に復元する。
【００７２】
この際、常に共回り状態で固定具５とパネル受け４との隙間は最小限のものとなっているので、パネル受け４の回転を固定するために、固定具５を回転させる量を最小限とすることができる。
【００７３】
また、共回り腕７が固定具５の共回り孔５ｆに入り込んだ状態であるので、パネル受けカバー６の回転方向を逆転させる場合でも、パネル受けカバー６つまりパネル受け４と固定具５との回転位相のずれは、たかだか共回り孔５ｆの回転方向の孔幅だけであるので、正逆させながら高さ調節をする途中で、パネル受け４が固定具５に接触することがなく、固定具が高さ調節の支障となることがない。
【００７４】
なお、共回り腕７が固定具５の外側に接触することでも、共回りは可能であるが、その場合には、逆転させた場合、隣の共回り腕７が固定具５の外側に接触するまで、パネル受け４だけが回転することとなるが、この回転角度はたかだか９０度程度であるので、両者間の隙間Ｈがネジ山１ピッチ程度であれば、パネル受け４が固定具５に接触して、パネル受け４の回転に支障となることはない。
【００７５】
つまり、この床支持脚１０によれば、固定具５を最小限回転させるだけでパネル受け４に接触させ、回転固定することができる。加えて、共回り腕７が共回り孔５ｆに入り込んだ状態では、固定具５がパネル受け４の高さ調節の支障とならない。
【００７６】
また、この際、共回り腕７が固定具５の共回り孔５ｆに入り込んだ状態では、固定具５の向きがパネル受け４の十字の向きと一致していることが見当つけられるので、固定具５の操作用凹部５ｅの位置を見つけやすく、操作がしやすい。
【００７７】
また、固定具５の操作用凹部５ｅは、ナット５ｇを中心として対向する２方向にあるので、二箇所の操作用凹部５ｅから選択して一方を用いることができ、固定具５の回転操作が便利になる。
【００７８】
こうして、パネル受け４の高さ調整と回転固定が済むと、パネル受けカバー６に上床パネルＵＰが設置され、更にその上に、上床表面材ＵＦが設置されて、二重床Ｗが完成する。図６（ｄ）はこの状態の二重床Ｗを示すものである。
【００７９】
なお、ここでは、上床パネルＵＰと上床表面材ＵＦとを併せて上床Ｕとしている。
【００８０】
ここで、共回り腕７は、撓むことによって固定具５だけの回転を阻止せず、固定具５が障害とならなくなった後には復元するので、再利用が可能である。
【００８１】
しかしながら、共回り腕を、固定具の共回りはさせるが、固定具だけを回転させる場合には、折損して除去されるようにしてもよく、その場合にも、本発明の共回り腕の役割を果たすことができる。この場合、共回り腕の素材として、可撓性を考慮して採用し得なかった材料であっても、採用することができ、材料選択の範囲が広くなる。
【００８２】
また、上記例では、共回り腕７は、パネル受け４に共回りするように被せられるパネル受けカバー６に設けられているので、パネル受けが従来のタイプのものであって共回り腕がない場合であっても、パネル受けカバーを、パネル受けと上床との間に介在させるだけで、本発明の床支持脚の効果を発揮させることができる。
【００８３】
あるいは、このパネル受けカバー６は、パネル受けの高さ調節と固定が必要な際にだけ使用し、その後は別のパネル受けの高さ調節に用いるような使い方も可能である。
【実施例２】
【００８４】
図７は、本発明の床支持脚の他例を示すもので、（ａ）はその上面図、（ｂ）はその側面図である。
【００８５】
この床支持脚１０Ａは、図５の床支持脚１０に比べ、構成部品の内の固定具５Ａだけが、図３の固定具５と異なったものとなっている点が相違している。
【００８６】
つまり、固定具５Ａは、固定具５に比べ、この図７に示すように、中央のナット５ｇに対して、回転操作のための張り出しが一方だけとなり、操作用凹部５ｅがその一方の張り出し部分にだけ設けられている点が異なっている。
【００８７】
このような構成としても、この床支持脚１０Ａによれば、図５の床支持脚１０と同様の効果、つまり、固定具５を最小限回転させるだけでパネル受け４に接触させ、回転固定することができる、という効果を発揮することができる。
【００８８】
加えて、片方の操作用凹部５ｅを設ける部分を省略することができ、材料を節約することができる。
【実施例３】
【００８９】
図８は、本発明の床支持脚の他例を構成するパネル受けを示すもので、（ａ）はその上面図、（ｂ）はその側面図、（ｃ）は（ａ）のＥＥ断面図である。
【００９０】
この床支持脚１０Ｂは、図５の床支持脚１０に比べ、パネル受けカバーがなく、共回り腕７Ａがパネル受け４Ａに直接一体化されている点が異なっている。
【００９１】
つまり、パネル受け４Ａは、その下板４ａの４辺中央部に外側への張り出し部４ｊが設けられ、この張り出し部４ｊの下から、共回り腕７Ａが下方に伸び出している点が異なっている。
【００９２】
この共回り腕７Ａは、パネル受け４Ａの素材が可撓性のあるものの場合は、その可撓性を利用したものとし、パネル受け４Ａの素材が可撓性の少ないものの場合（脆性が大きいもの場合）、折損して除去されるタイプのものとすればよい。
【００９３】
こうして、このような構成であっても、この床支持脚１０Ｂによれば、図５の床支持脚１０と同様の効果を発揮することができるのに加え、パネル受けカバーが不要となるので、その分コストダウンを図ることができる。
【００９４】
なお、このパネル受け４Ａで例示したように、共回り腕７Ａを設置する個数は、図４のパネル受けカバー４のように４箇所でなくとも、２箇所でもよく、１箇所でもよい。
【００９５】
この共回り腕を設ける箇所数は、多くすればするほど、共回り腕と固定具との共回り関係をより細かく決めることができ、それだけ、固定具をパネル受けに近接させた状態で共回り状態とすることができる。また、折損して除去されるタイプのものでは、折損した後の残る共回り腕の箇所を多くすることができるので、高さ調整をやり直しする場合にも、共回り腕を利用できる回数が増える。
【００９６】
一方、共回り腕を設ける箇所数は、多くすればするほど、材料費等が高くなる。
【実施例４】
【００９７】
図９は、本発明の床支持脚の他例を構成するパネル受けを示すもので、（ａ）はその上面図、（ｂ）はその側面図、（ｃ）は（ａ）のＦＦ断面図である。
【００９８】
この床支持脚１０Ｃは、図５の床支持脚１０に比べ、パネル受けカバーがなく、共回り腕７Ｂがパネル受け４Ｂに直接一体化されている点が異なっている。また、この共回り腕７Ｂが以下に説明するように上下ピン式となっている点が異なっている。
【００９９】
つまり、パネル受け４Ｂは、その下板４ａの４辺中央部に水平方向に張り出した水平腕７ａと、この水平腕７ａに設けられたピン孔７ｂに上下可能に挿嵌される共回りピン７ｃとを備えている点が異なっている。
【０１００】
この共回りピン７ｃは、自由状態（図９（ｂ）の状態）ではそのピン先部で、固定具５、５Ａを共回りさせ、この共回りピン７ｃを水平腕７ａに対して上方に持ち上げた際には、固定具５、５Ａを自由回転させるものである。
【０１０１】
このような構成であっても、この床支持脚１０Ｃによれば、図５の床支持脚１０と同様の効果を発揮し、パネル受けへの共回り腕の一体化という点では、図８の床支持脚１０Ｂと同様の効果を発揮し、共回り機能が確実に発揮され、再利用が何回でも可能となる。
【実施例５】
【０１０２】
図１０は、本発明の床支持脚の他例を構成するパネル受けを示すもので、（ａ）はその上面図、（ｂ）はその側面図、（ｃ）は（ａ）のＧＧ断面図である。
【０１０３】
この床支持脚１０Ｄは、図５の床支持脚１０に比べ、パネル受けカバーがなく、共回り腕７Ｃがパネル受け４Ｃに直接一体化されている点に加え、この可撓性ピン式の共回り腕７Ｃが、パネル受け４Ｃから外へ張り出さないように設けられている点が異なっている。
【０１０４】
つまり、パネル受け４Ｃは、その十字突起部４ｂ′の上方部分がより肉厚となっており、この十字形上辺の各端部部分に設けられる４つの取り付け孔４ｉの内対向する２箇所が、より内径が大きい段付き孔のピン固定孔７ｄとなっており、このピン固定孔７ｄに可撓性のある共回りピン７ｅがはめ込まれて固定されている点が異なっている。
【０１０５】
可撓性ピン式の共回り腕７Ｃは、これらのピン固定孔７ｄと共回りピン７ｅとで構成されている。
【０１０６】
この共回りピン７ｅは、その先端部分が、固定具５、５Ａの共回り孔５ｆに入り込む長さと位置とになっており、可撓性を有し、共回り機能を発揮すると共に、固定具５だけをパネル受け４Ｃに対して回転させたい場合には、容易に撓んで、この固定具５だけの回転を許容し、固定具５が障害とならなくなった場合には、元のように復元するものである。
【０１０７】
このような構成であっても、この床支持脚１０Ｄによれば、図５の床支持脚１０と同様の効果を発揮し、パネル受けへの共回り腕の一体化という点では、図８の床支持脚１０Ｂと同様の効果を発揮する。
【０１０８】
加えて、この床支持脚１０Ｄによれば、パネル受け４Ｃから外へのはみ出しがないので、床支持脚１０Ｄ全体をコンパクトなものとすることができる。
【実施例６】
【０１０９】
図１１は、本発明の床支持脚の他例を構成するパネル受けを示すもので、（ａ）はその上面図、（ｂ）はその側面図、（ｃ）は（ａ）のＪＪ断面図、（ｄ）は（ａ）のＫＫ断面図である。
【０１１０】
このパネル受け４Ｄは、外形的には図４のパネル受けカバー６と共通し、その共通する部分には、同じ符号を付して、その部分は、共通の形状を有し、作用効果を発揮するものとする。
【０１１１】
また、パネル受け４Ｄは、逃がし内周部４ｄと、基準位置表示段部４ｋとについては、図２のパネル受け４と共通する。
【０１１２】
一方、このパネル受け４Ｄは、これらパネル受け４とパネル受けカバー６とを合体させた構成でありながら、支持ボルト２と螺合する雌ネジ部４ｕを備えた補助板４ｓ（図１２参照）を別体として後付け可能とすべく、補助板止め６ｆと、補助板収容部４ｎと、逃がし内周小径部４ｍとを備えている点で、既述の実施例と異なっている。
【０１１３】
逃がし内周小径部４ｍは、補助板４ｓの雌ネジ部４ｕに螺合する支持ボルト２を逃がすものであるが、既にある逃がし内周部４ｄに比べより小径であり、この逃がし内周部４ｄとの間に基準位置表示段部４ｋを形成するものである。
【０１１４】
補助板収容部４ｎは、ここに後述の補助板４ｓを収容するもので、補助板止め６ｆは補助板収容部４ｎに収容された補助板４ｓが脱落しないように固定し止めるものである。
【０１１５】
また、このパネル受け４Ｄは、十字形状の本体部６ａの上面の幅中心に十字状のパネル基準溝６ｅを備えている。このパネル基準溝６ｅは、このパネル受け４Ｄに、上床となる上床パネルＵＰの四角を載せた際、隣り合う上床パネルの境界線を示すものである。
【０１１６】
図１２（ａ）は図１１のパネル受けに用いられる補助板を示す平面図、（ｂ）は、その側面図、（ｃ）は、図１１のパネル受けと組み合わせて用いられる固定具の裏面図、（ｄ）はその縦断面図である。
【０１１７】
図１２（ａ）、（ｂ）に示す補助板４ｓは、金属製の板（一般的には鋼板）であって、パネル受け４Ｄの補助板収容部４ｎに嵌め込められ、補助板止め６ｆでパネル受け４Ｄと一体化され、脱落しないようになっているものである。
【０１１８】
その中央部分には、板厚と同程度の筒状突起４ｔが設けられ、この内側に、支持ボルト２の雄ネジに対応した雌ネジ部４ｕが設けられている。補助板４ｓの適所には複数の雌ネジ孔４ｖが設けられている。この雌ネジ孔４ｖは、上床パネルＵＰを固定する際に用いられるものである。
【０１１９】
図１２（ｃ）、（ｄ）に示す固定具５Ａは、図３に示す固定具５に比べ、ナット収容部５ｃ′がより深さの深いもので、このナット収容部５ｃ′に収容固定される市販のナット５ｇを上面側を覗かせる、より内径の大きい露出窓５ｄ′を備えている点が異なっている。
【０１２０】
この結果、この固定具５Ａに収容されたナット５ｇは、支持ボルト２に螺合した状態で、図１２（ｄ）に示すように、補助板４ｓの筒状突起４ｔの端面と接触可能となるものである。
【０１２１】
図１４は、図１１のパネル受け、図１２の補助板、及び、固定具を組み合わせた床支持脚を示すもので、（ａ）はその平面図、（ｂ）はその使用状態の縦断面図である。
【０１２２】
この図１４（ａ）から解るように、図５と同様に、この床支持脚１０Ｅの場合も、支持体３のベース板１の取付固定孔１ａは、パネル受け４を組み込んだ状態でも上方に作業スペースがあり、この床支持脚１０は、このセットの状態のままで、基礎床Ｚへの固定作業が可能である。
【０１２３】
また、この床支持脚１０Ｅは、通常、この図１３に示されたセット状態で販売され、その際、パネル受け４Ｄの基準位置表示段部４ｋは、パネル受け４が基礎床Ｚからの基準高さ位置となるように設定されており、販売のための組み立ての目安ともなるもので、組み立て作業の間違いが少なくなる。
【０１２４】
また、図１３（ｂ）の状態から、パネル受け４Ｄと固定具５Ａとを共回りさせながら、現場で正確な高さになるようにパネル受け４Ｄの高さを設定したら、パネル受け４Ｄは回転しないように固定しておいて、固定具５Ａだけを手作業でパネル受け４Ｄに近づくように回転させると、固定具５Ａのナット５ｇとパネル受け４Ｄの筒状突起４ｔとが接触して、ダブルナット状態となり、パネル受け４の回転が強固に固定締め付けられる。この状態は、図１２（ｄ）に想像線で示したものである。
【０１２５】
なお、本発明の床支持脚は、上記の実施例に限定されず、特許請求の範囲に記載された範囲、実施例の範囲で、種々の変形例、組み合わせが可能であり、本発明の技術的範囲には、これらの変形例、組み合わせも含まれるものである。
【産業上の利用可能性】
【０１２６】
本発明の床支持脚は、二重床に用いるものであって、固定具を最小限回転させるだけでパネル受けに接触させ、回転固定することができることが要請される産業上の分野に用いることができる。
【図面の簡単な説明】
【０１２７】
【図１】本発明の床支持脚を構成する支持板の一例を示すもので、（ａ）はその正面図、（ｂ）はその側面図
【図２】本発明の床支持脚を構成するパネル受けの一例を示すもので、（ａ）はその上面図、（ｂ）はその側面図、（ｃ）はその下面図、（ｄ）は（ａ）のＡＡ断面図
【図３】本発明の床支持脚を構成する固定具の一例を示すもので、（ａ）はその上面図、（ｂ）は（ａ）のＢＢ断面図、（ｃ）はその下面図
【図４】本発明の床支持脚を構成するパネル受けカバーの一例を示すもので、（ａ）はその正面図、（ｂ）はその下面図、（ｃ）は（ｂ）のＣＣ断面図、（ｄ）は（ｂ）のＤＤ断面図
【図５】図１から図４の部品で構成される床支持脚を示すもので、（ａ）はその上面図、（ｂ）はその側面図
【図６】（ａ）〜（ｄ）は、図５の床支持脚の使い方を順に示す図
【図７】本発明の床支持脚の他例を示すもので、（ａ）はその上面図、（ｂ）はその側面図
【図８】本発明の床支持脚の他例を構成するパネル受けを示すもので、（ａ）はその上面図、（ｂ）はその側面図、（ｃ）は（ａ）のＥＥ断面図
【図９】本発明の床支持脚の他例を構成するパネル受けを示すもので、（ａ）はその上面図、（ｂ）はその側面図、（ｃ）は（ａ）のＦＦ断面図
【図１０】本発明の床支持脚の他例を構成するパネル受けを示すもので、（ａ）はその上面図、（ｂ）はその側面図、（ｃ）は（ａ）のＧＧ断面図
【図１１】本発明の床支持脚の他例を構成するパネル受けを示すもので、（ａ）はその上面図、（ｂ）はその側面図、（ｃ）は（ａ）のＪＪ断面図、（ｄ）は（ａ）のＫＫ断面図
【図１２】（ａ）は図１１のパネル受けに用いられる補助板を示す平面図、（ｂ）はその側面図、（ｃ）は図１１のパネル受けと組み合わせて用いられる固定具の裏面図、（ｄ）はその縦断面図
【図１３】図１１のパネル受け、図１２の補助板、及び、固定具を組み合わせた床支持脚を示すもので、（ａ）はその平面図、（ｂ）はその使用状態の縦断面図
【図１４】本発明の背景技術となる床支持脚の一例を示す斜視図
【符号の説明】
【０１２８】
１        ベース板
２        支持ボルト
３        支持板
４〜４Ｄ        パネル受け
４ｓ      補助板
５〜５Ｂ        固定具
５ｄ′    露出窓
５ｆ      共回り孔
５ｇ      ナット
６        パネル受けカバー
７〜７Ｃ        共回り腕
７ａ      水平腕
７ｂ      ピン孔
７ｃ      共回りピン
１０〜１０Ｅ        床支持脚
Ｚ        基礎床
Ｕ        上床
Ｗ        二重床
【図１】
0004996540.tif 000002
【図２】
0004996540.tif 000003
【図３】
0004996540.tif 000004
【図４】
0004996540.tif 000005
【図５】
0004996540.tif 000006
【図６】
0004996540.tif 000007
【図７】
0004996540.tif 000008
【図８】
0004996540.tif 000009
【図９】
0004996540.tif 000010
【図１０】
0004996540.tif 000011
【図１１】
0004996540.tif 000012
【図１２】
0004996540.tif 000013
【図１３】
0004996540.tif 000014
【図１４】
0004996540.tif 000015